(57)【特許請求の範囲】
【請求項１】
一方の動物を他方の動物が食べる生態を有し、食物連鎖において弱肉強食の関係にある異種の動物を、一定期間だけ一方の動物が他方の動物の飼育空間に移動自由とし、当該飼育空間内に共存させて飼育することを特徴とする動物の飼育展示方法。
【発明の詳細な説明】
【０００１】
【発明の属する技術分野】
本発明は、動物の飼育展示方法に関するものである。
【０００２】
【従来の技術】
自然環境では多くの異なる生態の動物が共存している。これらの動物を観察して生態を知ることは高い学習効果がある。特に自然環境では、強い動物が弱い動物を餌とする弱肉強食の関係の食物連鎖が存在していて、これを学習することは大きな意義がある。
そして、動物の観察方法としては、自然環境に赴いて動物を観察する方法があるが、地理的な条件から費用が高く、時間を長く必要とする。さらに、自然による危険が伴うため、学習の必要性が高い子供が観察を行うことは困難であった。
そこで、身近な環境で飼育展示された動物を観察する学習が行われている。特に水族館や動物園等の大型の飼育展示施設では多くの異なる生態の動物が飼育展示されていて、手軽で安全に観察できるようになっているため、学習施設としての大きな役割を持っている。
【０００３】
そして、水族館や動物園等の大型の飼育展示施設における、従来の動物の飼育展示は、水槽又は籠などの飼育空間内で餌を与えて飼育した動物を展示していた。このとき、大量の餌を安定して動物に与える必要があるため、死んだ動物や加工食品などの人工的に加工した餌を与えていた。
【０００４】
【発明が解決しようとする課題】
しかしながら、従来の動物の飼育展示では、人工的に加工した餌を与えることによって、強い動物が弱い動物を餌として獲得しようとする生態が失われ、食物連鎖において弱肉強食の関係にある動物が同一飼育空間内に共存して飼育展示されていた。
したがって、人工的な飼育環境は自然環境と異なり、動物の生態が失われているために、動物の観察による学習効果が薄れていた。
【０００５】
そこで、人工的な飼育環境における動物の観察による学習効果を高めるためには、人工的に加工した餌を与えることなく、異なる生態の動物を同一飼育空間内に共存させることにより、弱肉強食の関係が存在している自然環境を形成し、生態を失うことなく飼育された動物を観察することが望ましいが、人工的に閉鎖された同一飼育空間内では弱い動物が強い動物から避難する場所を確保できないので、同一飼育空間内に長期間に渡り共存させることは困難であった。
【０００６】
そこで本発明では、人工的な飼育環境において、異なる生態の動物が共存する自然環境を一定期間だけ容易に形成することで、生態を失うことなく飼育された動物を手軽で安全に観察できると共に、高い学習効果が得られる動物の飼育展示方法を提供することを課題とする。
【０００７】
【課題を解決するための手段】
本発明は、前記課題を解決すべく構成されるものであり、請求項１に記載の発明は、一方の動物を他方の動物が食べる生態を有し、食物連鎖において弱肉強食の関係にある異種の動物を、一定期間だけ一方の動物が他方の動物の飼育空間に移動自由とし、当該飼育空間内に共存させて飼育することを特徴とする動物の飼育展示方法である。
【０００８】
ここで、動物とは、魚類、哺乳類、昆虫類などの動く生物をいう。そして、この動物は人工的な飼育空間で飼育展示され、その生態を観察することで学習効果が得られる動物である。
【０００９】
そして、請求項１に記載の飼育展示方法では、同一飼育空間内に異なる生態の動物が共存している自然環境を形成することにより、動物の生態を失わせることなく飼育展示できる。
【００１８】
したがって、本発明の生物の飼育展示方法では、人工的な飼育環境である同一飼育空間内に、異なる生態の動物が共存する自然環境を一定期間だけ容易に形成することで、生態を失うことなく飼育された動物を手軽で安全に観察できると共に、高い学習効果が得られる。
【００１９】
【発明の実施の形態】
以下、添付図面に基づいて本発明の実施の形態を詳細に説明する。
【００２０】
本発明の動物の飼育展示方法は、各種の動物及び各種の飼育施設に適用可能であるが、この実施の形態では魚を飼育展示する水族館の水槽を例にして説明する。
【００２１】
図１は区分した飼育空間Ａ、Ｂを示した側面図である。図２は同一飼育空間Ｃの形成状況を示した側面図である。図３は区分した飼育空間Ａ、Ｂの復元状況を示した側面図である。
【００２２】
まず、本発明の実施の形態に係る飼育展示装置を説明する。図１に示すように、大型の飼育施設である水族館の水槽１の少なくとも一面がガラス等の透過性の材料で構成されていて、水槽１の内部が観察できるようになっている。
そして、ガラス面６と垂直な方向に板状の隔壁２が一定の位置に設置されていて、隔壁２を介して水槽１内に飼育空間Ａと飼育空間Ｂが形成される。
また、隔壁２は２重構造となっていて、板状の仕切り板３と板状の選別板４から構成されていて、選別板４は小型魚８のみが通ることのできる大きさの開口部５を有している。さらに、選別板４は可動式となっていて、水槽１内を選別板４と垂直な方向に移動することができるため、飼育空間Ａと飼育空間Ｂの大きさを変化させることができる。この隔壁２は飼育空間Ａ、Ｂを区分できるものであれば、鋼、樹脂等の硬質の材料や、布、網等の柔軟性の材料でも良く、また、その形状は限定されるものではない。さらに、選別板４の移動における動力手段も限定されるものではない。
【００２３】
次に、本発明の実施の形態に係る飼育展示方法を説明する。まず、通常の飼育展示状況は、図１に示すように、飼育空間Ａでは大型魚７、飼育空間Ｂでは小型魚８が隔壁２を介して区分された飼育空間Ａ、Ｂで飼育されている。この大型魚７と小型魚８は自然環境において弱肉強食の関係にある魚で、強い大型魚７は弱い小型魚８を餌として食べる生態を持っている。
【００２４】
そして、自然環境の形成状況は、図２に示すように、隔壁２の仕切り板３を撤去し、選別板４を飼育空間Ｂ側に移動させる。これにより、飼育空間Ｂは縮小され、行き場を失った小型魚８は選別板４の開口部５を通って大型魚７の飼育空間Ａに追いやられる。
このとき、飼育空間Ｂが縮小されたのと反比例して飼育空間Ａが拡大される。そして、選別板４が飼育空間Ｂの端部ｂまで移動することによって、小型魚の飼育空間Ｂはなくなり、水槽１内は同一飼育空間Ｃとなり、小型魚８はすべて同一飼育空間Ｃに追いやられる。
そして、同一飼育空間Ｃ内に異なる生態の大型魚７と小型魚８が共存する自然環境が形成されることにより、強い大型魚７が弱い小型魚８を餌とする弱肉強食の関係の食物連鎖が行われる。
【００２５】
次に、図３に示すように、同一飼育空間Ｃ内に自然環境を一定期間だけ形成した後に、選別板４を飼育空間Ｂの端部ｂから飼育空間Ａ側に移動させることで、小型魚８の飼育空間Ｂが形成され、大型魚７に追われた小型魚８が、選別板４の開口部５を通って飼育空間Ｂ内に移動することができる。このとき、開口部５は小型魚８のみが通ることのできる大きさなので、飼育空間Ｂ内は小型魚８が避難する空間となり、小型魚８が大型魚７によって全滅させられることを避けられる。
そして、図１に示すように一定の位置で選別板４の移動を止めて、仕切り板３を設置して隔壁２を設けることで、大型魚７と小型魚８が区分して飼育される飼育空間Ａ、Ｂが復元される。
【００２６】
最後に、大型魚７の餌となった小型魚８の数は減少しているので、小型魚８の飼育空間Ｂ内に小型魚８を補充する。これにより、自然環境の形成を繰り返して行うことができる。
【００２７】
なお、本発明の実施の形態では隔壁２を２重構造としたが、選別板４の開口部５を開閉式などにすることで、小型魚８が選別板４を通って大型魚７の飼育空間Ａに移動してしまうことを妨げることができるのであれば、隔壁２は選別板４のみの構造でも良い。
【００２８】
さらに、本発明の実施の形態では選別板４の開口部５の大きさによって魚の選別を行ったが、その他の魚の選別方法としては、音波、電波、色彩、温度、匂い、一定の生物等の特定の魚のみが反応する刺激を同一飼育空間Ｃ内に与え、これらの刺激に反応した特定の魚のみを移動させることで、選別板４を用いることなく選別を行うことも可能である。また、選別板４による選別方法と、刺激による選別方法を組合せることで、効率良く選別を行うことができる。
【００２９】
以上、本発明の実施の形態を説明したが、本発明は前記実施の形態に限定されるものではない。前記動物の飼育展示方法と実質的に同一な構成を有し、同様な作用効果を奏するものは、いかなるものであっても本発明の技術的範囲に包含される。
【００３０】
【発明の効果】
したがって、本発明の生物の飼育展示方法では、人工的な飼育環境である同一飼育空間内に、異なる生態の動物が共存する自然環境を一定期間だけ容易に形成することで、生態を失うことなく飼育された動物を手軽で安全に観察できると共に、高い学習効果が得られる。
【図面の簡単な説明】
【図１】本発明の実施の形態に係る区分した飼育空間を示した側面図である。
【図２】本発明の実施の形態に係る同一飼育空間の形成状況を示した側面図である。
【図３】本発明の実施の形態に係る区分した飼育空間の復元状況を示した側面図である。
【符号の説明】
１．．．．．．．水槽
２．．．．．．．隔壁
３．．．．．．．仕切り板
４．．．．．．．選別板
５．．．．．．．開口部
６．．．．．．．ガラス面
７．．．．．．．大型魚
８．．．．．．．小型魚
Ａ．．．．．．．区分した飼育空間（大型魚の飼育空間）
Ｂ．．．．．．．区分した飼育空間（小型魚の飼育空間）
Ｃ．．．．．．．同一飼育空間
ｂ．．．．．．．小型魚の飼育空間の端部
【図１】
0004490562.tif 000002
【図２】
0004490562.tif 000003
【図３】
0004490562.tif 000004